(57)【特許請求の範囲】
【請求項１】
撮像部と、
上記撮像部から得られた撮像画像を表示する表示部に操作用のアイコン表示を表示可能な表示制御部と、
上記撮像画像中の上記アイコン表示に対応した領域に特定の物体が撮像されたか否かを判定する画像判定部と、
上記画像判定部の判定結果に基づく操作信号に従って上記アイコン表示に対応する操作を行う制御部と
を具備し、
上記画像判定部は、所定の範囲が同一色の撮像画像である場合に、上記特定の物体が撮像されたものと判定する
ことを特徴とする撮影機器。
【請求項２】
上記画像判定部は、特定の物体として人の指が撮像されたか否かを判定する
ことを特徴とする請求項１に記載の撮影機器。
【請求項３】
上記画像判定部は、上記撮像画像の撮像範囲の端部から中央部に向かう領域に特定の物体が撮像されたか否かを判定する
ことを特徴とする請求項１又は２に記載の撮影機器。
【請求項４】
上記画像判定部は、上記同一色の部分と撮像範囲中央部の部分との境界のコントラストが低い場合に指が撮像されたものと判定する
ことを特徴とする請求項１乃至３のいずれか１つに記載の撮影機器。
【請求項５】
上記表示部に設けられ、アイコン表示に対するタッチ操作によって操作信号を発生するタッチパネルと、
上記画像判定部の判定結果に基づく操作信号と上記タッチパネルからの操作信号とが与えられて、一方の操作信号を選択的に上記制御部に与える
ことを特徴とする請求項１乃至４のいずれか１つに記載の撮影機器。
【請求項６】
撮像部と、
上記撮像部から得られた撮像画像を表示する表示部に操作用のアイコン表示を表示可能な表示制御部と、
上記撮像画像中の上記アイコン表示に対応した領域に上記撮像部に近接又は接して遮光する特定の静止物体が撮像されたか否かを判定する画像判定部と、
上記画像判定部の判定結果に基づく操作信号に従って上記アイコン表示に対応する操作を行う制御部と
を具備したことを特徴とする撮影機器。
【発明の詳細な説明】
【技術分野】
【０００１】
本発明は、水中での使用が可能な撮影機器に関する。
【背景技術】
【０００２】
近年、デジタルカメラなどの撮影機能付き携帯機器（撮影機器）が普及している。この種の撮影機器においては表示部を有して、撮影画像を表示する機能を有するものもある。更に、表示部にメニュー画面を表示して、撮影機器の操作を容易にしたものもある。
【０００３】
このような撮影機器においては、表示部にタッチパネルを配置して、表示部に表示されたアイコン表示等を指等によりタッチパネル上からタッチすることで、操作を可能にするものがある。
【０００４】
なお、特許文献１においては、手指のポーズを変えることで、操作を行う装置が提案されている。しかしながら、手指のポーズによって操作を行うよりも、タッチパネルをタッチする操作の方が直感的で、しかも迅速な操作が可能である。
【先行技術文献】
【特許文献】
【０００５】
【特許文献１】特開２０１０−１８１９６８号公報
【発明の概要】
【発明が解決しようとする課題】
【０００６】
ところで、水密な構造を有することにより、陸上だけでなく水中での使用を可能にした、水中カメラも普及している。このような水中カメラにおいても、操作性を向上させるためにタッチパネルを利用することが考えられる。
【０００７】
しかしながら、タッチパネルとして抵抗膜方式を採用した場合には、水圧によってタッチパネルが押されて、誤操作が生じてしまう。また、タッチパネルとして静電容量方式を採用した場合には、水中では静電容量が発生せず、操作することができない。このように、従来、水中でも陸上と同じように、直感的で且つ迅速に操作を行うことは困難であるという問題があった。
【０００８】
本発明は、陸上使用及び水中使用の両方で最適な操作性を得ることができる撮影機器を提供することを目的とする。
【課題を解決するための手段】
【０００９】
本発明に係る撮影機器は、撮像部と、上記撮像部から得られた撮像画像を表示する表示部に操作用のアイコン表示を表示可能な表示制御部と、上記撮像画像中の上記アイコン表示に対応した領域に特定の物体が撮像されたか否かを判定する画像判定部と、上記画像判定部の判定結果に基づく操作信号に従って上記アイコン表示に対応する操作を行う制御部とを具備し、上記画像判定部は、所定の範囲が同一色の撮像画像である場合に、上記特定の物体が撮像されたものと判定する。
また、本発明に係る撮影機器は、撮像部と、上記撮像部から得られた撮像画像を表示する表示部に操作用のアイコン表示を表示可能な表示制御部と、上記撮像画像中の上記アイコン表示に対応した領域に上記撮像部に近接又は接して遮光する特定の静止物体が撮像されたか否かを判定する画像判定部と、上記画像判定部の判定結果に基づく操作信号に従って上記アイコン表示に対応する操作を行う制御部とを具備する。
【００１０】
を具備する。
【発明の効果】
【００１１】
本発明によれば、陸上使用及び水中使用の両方で最適な操作性を得ることができるという効果を有する。
【図面の簡単な説明】
【００１２】
【図１】本発明の一実施の形態に係る撮影機器を示すブロック図。
【図２】本実施の形態における撮影機器の外観を示す説明図。
【図３】画像判定部１３による判定を説明するための説明図。
【図４】実施の形態の動作を説明するためのフローチャート。
【図５】表示部２４の表示画面３６上のアイコン表示を説明するための説明図。
【図６】ユーザの操作を説明するための説明図。
【図７】図４中のステップＳ１３の指判定処理を詳細に示すフローチャート。
【図８】モード切換処理を示すフローチャート。
【図９】マクロ設定を説明するための説明図。
【図１０】マクロ設定を示すフローチャート。
【図１１】ストロボ設定を説明するための説明図。
【図１２】ストロボ設定を示すフローチャート。
【図１３】動画設定を説明するための説明図。
【図１４】動画設定を示すフローチャート。
【図１５】変形例を示す説明図。
【発明を実施するための形態】
【００１３】
以下、図面を参照して本発明の実施の形態について詳細に説明する。図１は本発明の一実施の形態に係る撮影機器を示すブロック図である。また、図２は本実施の形態における撮影機器の外観を示す説明図である。
【００１４】
撮影機器１は、図２に示すように、水密の筐体３１を有し、筐体３１の前面には撮影レンズ３２が配設されている。また筐体３１の前面には、ＬＥＤ３３も配設されている。筐体３１の上面にはレリーズボタン３４が配設されている。なお、ＬＥＤ３３は、ＳマクロＬＥＤモードにおいて照明光を照射することができる。
【００１５】
本実施の形態においては、筐体３１の前面に水圧センサ３５が設けられている。水圧センサ３５は、筐体３１に印加される圧力を測定し、測定結果を得る。また、筐体３１の背面には、後述する表示部２４を構成する表示画面３６が設けられている。
【００１６】
撮影機器１には、図１に示す本体回路部１０が内蔵されている。本体回路部１０は、ＣＣＤやＣＭＯＳセンサ等の撮像素子によって構成された撮像部２１を有している。撮影機器１の前面に設けた撮影レンズ３２を含む光学系からの被写体の光学像は、撮像部２１を構成する撮像素子（図示せず）の撮像面に結像するようになっている。この撮像部２１は、信号処理及び制御部１１によって駆動制御される。信号処理及び制御部１１は、撮像部２１に撮像素子の駆動信号を出力すると共に、撮像素子が光学像を光電変換して得た画像信号を取り込む。
【００１７】
信号処理及び制御部１１中の画像処理部１２は、撮像素子の光電変換によって得られた画像信号に対して、所定の信号処理、例えば、色信号生成処理、マトリックス変換処理、その他各種のデジタル処理を行う。画像処理部１２は、画像信号及び音声信号等の記録に際して、符号化処理を施して圧縮した画像情報及び音声情報等を出力する。
【００１８】
また、撮影機器１には、操作部２２、タッチパネル２５及びストロボ２７も配設されている。ストロボ２７は、信号処理及び制御部１１に制御されてストロボ発光する。操作部２２は、撮影機器１に設けられたレリーズボタン３４や撮影モード設定等の図示しない各種スイッチに対するユーザ操作に基づく操作信号を発生して、信号処理及び制御部１１に出力するようになっている。タッチパネル２５は、ユーザのタッチ操作に基づく操作信号を発生して、信号処理及び制御部１１に出力するようになっている。信号処理及び制御部１１は、操作信号に基づいて、各部を制御する。
【００１９】
また、信号処理及び制御部１１には、表示制御部１５及び記録再生制御部１６が設けられている。記録再生制御部１６は、画像処理部１２からの画像情報及び音声情報を記録することができるようになっている。記録再生制御部１６としては、例えばカードインターフェースを採用することができ、記録再生制御部１６はメモリカード等の記録部２３に画像情報及び音声情報等を記録可能である。また、記録再生制御部１６は、記録部２３に記録された画像情報及び音声情報を読み出して信号処理及び制御部１１に供給することができる。信号処理及び制御部１１は、記録再生制御部１６によって再生された画像情報及び音声情報を復号化して、画像信号及び音声信号を得ることができるようになっている。
【００２０】
表示制御部１５は、撮像部２１からの撮像画像や記録再生制御部１６からの再生画像を表示部２４に与えて、これらの画像を表示させるようになっている。また、表示制御部１５は、撮影機器１の操作を行うためのメニュー表示やアイコン表示等を表示部２４に表示させることもできるようになっている。表示部２４は、撮影機器１の本体の例えば背面に設けられており、撮影者は、撮影時に表示部２４の表示画面３６を視認可能になっている。表示部２４としては、ＬＣＤパネル等を採用可能である。
【００２１】
上述したタッチパネル２５は、表示部２４の表示画面３６上に配設されている。タッチパネル２５は、ユーザが指で指し示した位置に応じた操作信号を発生する。タッチパネル２５を表示部２４の表示画面３６上に設けることにより、ユーザは、表示部２４の表示画面３６上に表示された各種アイコン等を、タッチパネル２５により指示することができる。これにより、タッチパネル２５は表示部２４の表示画面３６上に表示された各種アイコン等に対応した操作信号を信号処理及び制御部１１に出力することができる。
【００２２】
本実施の形態においては、本体回路部１０には、水中検出部２６が設けられている。水中検出部２６は、水圧センサ３５の圧力測定結果が与えられ、測定結果に基づいて撮影機器１が水中で用いられているか否かを検出し、水中検知結果を制御切換部１４に出力するようになっている。なお、水中検出部２６における水中検知としては、水圧センサ３５を用いる方法だけでなく、水の伝導性で判定する方法、水の屈折率や光吸収を検出する方法等を採用してもよい。
【００２３】
水中検出部２６の検出結果は制御切換部１４に与えられる。制御切換部１４には、タッチパネル２５からの操作信号が与えられると共に、後述する画像判定部１３からの操作信号も与えられる。制御切換部１４は、水中検出部２６の検出結果に基づいて、タッチパネル２５の操作に基づく操作信号と画像判定部１３からの操作信号との一方を選択的に有効として、信号処理及び制御部１１において用いる操作信号とする。
【００２４】
本実施の形態においては、本体回路部１０に画像判定部１３が設けられている。画像判定部１３は、画像処理部１２からの撮像画像が与えられ、撮像画像中の各位置、例えば４隅の画像の状態を判定することにより、ユーザによる操作が行われたか否か、ユーザによる操作の種類を検出して、操作信号を出力するようになっている。
【００２５】
図３は画像判定部１３による判定を説明するための説明図である。図３は撮像部２１による撮像画像中の領域を説明するものである。撮像部２１の撮像領域２１ａ中の有効な撮像範囲２１ｂにおける撮像画像が表示部２４の表示画面３６上に表示されるものとする。画像判定部１３は、撮像領域２１ａで撮像された撮像画像から、ユーザが撮影レンズ３２を指で覆った位置を検出して、操作信号を発生する。例えば、画像判定部１３は、撮像画像中の例えば４隅のいずれの位置に、撮影レンズ３２を指で覆う操作に基づく画像部分が得られているかに基づいて、ユーザ操作の種類を判定する。
【００２６】
例えば、画像判定部１３は、撮像範囲２１ｂの４隅に検出領域２８ＬＵ，２８ＲＵ，２８ＬＤ，２８ＲＤ（以下、代表して検出領域２８という）を設定する。なお、図３では撮像範囲２１ｂの４隅の座標を（０，０）、（ｘ０，０）、（０，ｙ０）及び（ｘ０，ｙ０）とし、検出領域２８ＬＵは、座標（０，ｙ０）、（ｘ１，ｙ０）及び（０，ｙ１）によって規定される略扇状の領域（斜線部）とする。同様に、検出領域２８ＲＵは、座標（ｘ０，ｙ０）、（ｘ３，ｙ０）及び（ｘ０，ｙ３）によって規定される略扇状の領域（斜線部）とし、検出領域２８ＬＤは、座標（０，０）、（ｘ２，０）及び（０，ｙ２）によって規定される略扇状の領域（斜線部）とし、検出領域２８ＲＤは、座標（ｘ０，０）、（ｘ４，０）及び（ｘ０，ｙ４）によって規定される略扇状の領域（斜線部）とする。なお、ｘ１＝ｘ２、ｘ３＝ｘ４、ｙ１＝ｙ３、ｙ２＝ｙ４としてもよく、また、全ての検出領域２８の形状及びサイズを相互に回転させた場合に共通となるようにしてもよい。
【００２７】
画像判定部１３は、検出領域２８のいずれかの位置に、ユーザの指等による画像が検出された場合には、ユーザによって操作が行われたものと判定し、検出領域２８のいずれの領域で検出されたかに応じて操作の種類を判定し、操作信号を出力する。
【００２８】
例えば、画像判定部１３は、略同一色の画像部分が、座標（０，ｙ０）から（ｘ１，ｙ０）及び（０，ｙ１）の位置を含んで存在すると共に、この画像部分の面積が検出領域２８ＬＵの面積に略一致することによって、検出領域２８にユーザの指等による画像部分が取得されたものと検出する。画像判定部１３は、他の検出領域２８についても同様の判定を行う。即ち、各検出領域２８を規定する３つの座標を含む略同一色の画像部分の面積が検出領域２８の面積に略一致する場合に、画像判定部１３は、検出領域においてユーザの指等による画像部分が取得されたものと判定する。
【００２９】
なお、画像判定部１３は、検出領域においてユーザの指等による画像部分が取得されたことを所定時間（例えば、２，３秒程度）検出した場合に、操作信号を出力するようにしてもよい。また、画像判定部１３は、更に、略同一色の画像部分と他の部分とのコントラストやピントの変化等を利用して、検出領域２８においてユーザの指等による画像部分が取得されたか否かの判定結果の正当性を確認するようにしてもよい。
【００３０】
なお、図３では座標によって検出領域２８のサイズを規程したが、検出領域２８のサイズを撮像範囲２１ｂのサイズのｎ／ｍ（ｎ，ｍは自然数）に設定してもよい。例えば、図３の例では、各検出領域２８のｘ方向のサイズを撮像範囲２１ｂの１／４とし、ｙ方向のサイズを撮像範囲２１ｂの１／３としてもよい。
【００３１】
この場合には、撮影レンズ３２として、横１６ｍｍ縦１２ｍｍのサイズのレンズを採用した場合には、撮影レンズ３２の４隅からｘ方向に４ｍｍ、ｙ方向に３ｍｍだけ撮像範囲２１ｂの中央に向けて指をずらして撮影レンズの４隅を覆うことで、画像判定部１３は各検出領域２８においてユーザの指による画像部分が取得されたことを検出することができる。人間は、自分の指を物の表面で３〜４ｍｍ程度ずらしたか否かについては十分に認識可能であり、画像判定部１３は、ユーザの操作を確実に検出することができる。
【００３２】
画像判定部１３は、判定結果に基づく操作信号を発生して制御切換部１４に出力する。制御切換部１４は、例えば、陸上使用時にはタッチパネル２５からの操作信号を有効とし、水中使用時には画像判定部１３からの操作信号を有効とする。なお、制御切換部１４は、水陸のいずれの場合にも、画像判定部１３からの操作信号を信号処理及び制御部１１における制御に用いるようにしてもよい。信号処理及び制御部１１は、操作信号に基づいて各部を制御する。
【００３３】
次に、このように構成された実施の形態の動作について図４乃至図１４を参照して説明する。図４は実施の形態の動作を説明するためのフローチャートであり、図５は表示部２４の表示画面３６上のアイコン表示を説明するための説明図であり、図６はユーザの操作を説明するための説明図である。
【００３４】
撮影機器１の電源が投入されると、信号処理及び制御部１１の表示制御部１５は、表示部２４の表示画面３６上に、スルー画を表示させると共にアイコン表示を表示させる（図４のステップＳ１）。図５はこのアイコン表示を示しており、有効表示領域４１の４隅には、アイコン表示４３ＬＵ，４３ＲＵ，４３ＬＤ，４３ＲＤ（以下、代表してアイコン表示４３という）が表示されている。アイコン表示４３ＬＵは、マクロ撮影を行うためのものであり、アイコン表示４３ＲＵは、動画撮影を行うためのものであり、アイコン表示４３ＬＤは、ストロボ撮影を行うためのものであり、アイコン表示４３ＲＤは、アイコン表示を消去するためのものである。
【００３５】
信号処理及び制御部１１の水中検出部２６は、ステップＳ２において、水中での使用中か陸上での使用中かを検出する。水中検出部２６の検出結果は制御切換部１４に与えられる。例えば、陸上で使用されている場合には、水中検出部２６の検出結果に基づいて、制御切換部１４はタッチパネル２５からの操作信号を有効とする（ステップＳ３）。
【００３６】
この状態で、ユーザがタッチパネル２５を指で押す操作をすると、押した位置の表示画面３６上に表示されているコマンドの種類に応じた操作信号が、タッチパネル２５から制御切換部１４を介して信号処理及び制御部１１に与えられる。こうして、信号処理及び制御部１１は、ユーザのタッチ操作に応じた制御を行う（ステップＳ５）。なお、タッチパネル２５に対するタッチ操作が行われない場合には、処理をステップＳ４からステップＳ２に戻して、同様の動作が繰り返される。
【００３７】
いま、撮影機器１が水中で使用されているものとする。水圧センサ３５の検出圧力は、水中検出部２６に与えられ、水中検出部２６は水中使用中であることを検出する。水中検出部２６の検出結果は制御切換部１４に与えられ、制御切換部１４は、タッチパネル２５からの操作信号を無効とし（ステップＳ１１）、画像判定部１３からの操作信号を有効とする。
【００３８】
信号処理及び制御部１１は、ステップＳ１２において、撮像部２１を駆動して撮像信号を取り込んで信号処理し、撮像画像を得る。この撮像画像は表示制御部１５によって表示部２４に与えられて、スルー画として表示されると共に、画像判定部１３に与えられる。図５では、表示画面３６の有効表示領域４１には、中央に、魚の画像４２を含むスルー画が表示されていることを示している。
【００３９】
図６はこの場合の撮影の様子を示している。図６では、水中メガネ５２を掛けた人物５１が、水中において、魚４２ａを撮像しようとしている様子を示している。人物５１は左右の手５３Ｌ，５３Ｒによって筐体３１を把持している。右手５３Ｒの人差し指５５はレリーズボタン３４上に位置し、右手５３Ｒの中指５４は先端が撮影レンズ３２の４隅の一角まで伸びている。中指５４の画像部分は、図５ではアイコン表示４３ＲＤに対応する位置に現れる。
【００４０】
画像判定部１３は、撮像画像から、ユーザが撮影レンズ３２の一部を覆う操作による画像部分を検出する。画像判定部１３はこのような画像部分が撮像範囲２１ｂ中の各検出領域２８と同等の領域の画像であることを検出すると、検出領域２８に対応した操作信号、例えば図５のアイコン表示に対応した操作信号を発生する（ステップＳ１３）。
【００４１】
図３、図５及び図６の例では、画像判定部１３は、ユーザは中指５４によって、撮影レンズ３２の右下隅の部分を覆っており、検出領域２８ＲＤにおいて指の画像が検出され、検出領域２８ＲＤに対応するアイコン表示４３ＲＤを指定する操作が行われたものと判定する。図５の例では、アイコン表示を消去する操作であり、制御切換部１４は画像判定部１３からのアイコン表示を消去する操作信号を信号処理及び制御部１１に与えて、アイコン表示の消去処理を実施する（ステップＳ１４）。
【００４２】
次に、信号処理及び制御部１１は、ステップＳ１５においてレリーズ操作が行われたか否かを判定し、レリーズ操作された場合にはステップＳ１６において撮影を行い、レリーズ操作されない場合には処理をステップＳ２に戻して、ステップＳ２〜Ｓ１５を繰り返す。
【００４３】
次に、図７乃至図１４を参照して、指判定処理及びモード切換処理について詳細に説明する。
【００４４】
図７は図４中のステップＳ１３の指判定処理を詳細に示すフローチャートである。画像判定部１３は、図７のステップＳ２１において、撮像画像の判定を行い、撮像画像中の例えば中央の画像に対して変化した４隅の画像部分の形状を判定する。例えば、ユーザが指で撮影レンズ３２の角の部分を覆うものとする。指が撮影レンズ３２に十分に近接しているか又は接している場合には、撮像画像中の指の画像部分は他の部分に比べて輝度や色合い等が著しく異なり、画像判定部１３は撮像画像の角部と中央部との画像の変化を認識することができる。これは、基本的には画面中央部の被写体から来る光を指が遮るからであり、画面中央部が暗い場合は、画像を増幅して指の方がわずかでも明るいと、指が白く見えるまで明るく表示してしまう。このように、指がレンズの周囲を触れている場合は、表示画面を見ただけでも分かるような画像データの変化を生じる。また、画面中心部の被写体にピントが合っている場合、画面角部のレンズ部直近に置かれた指画像は、大きくぼけているので、コントラストが低い、境界線のあいまいな画像となるので、そうした特徴も検出して指の判定を行っても良い。つまり画面の端部からコントラストが低い同じ色の画像部があり、その画面内内側の境界部のコントラストも低く、なだらかに変化している場合、指の画像部分と判定するようにする。しかし、このような判定をすべて列挙するのは煩雑になるので、以下の説明では、略同一の色のものがあるかどうかという記述を行っている。
【００４５】
画像判定部１３は次のステップＳ２３において、他の部分と変化がある画像部分が画像の左上の部分か否かを判定する。画像の左上の部分でない場合には、以後のステップＳ２７，Ｓ３１，Ｓ３５において、順次画像の左下の部分であるか、画像の右上の部分であるか、画像の右下の部分であるかを判定する。いずれの部分にも変化が見られない場合には、処理を図４のステップＳ１５に移行する。
【００４６】
いま、ユーザが撮影レンズ３２の左上の角を覆うものとする。この場合には、画像判定部１３は、ステップＳ２３からステップＳ２４に処理を移行して、指等の画像部分の領域が検出領域２８ＬＵ部分と略同一の領域であるか否かを判定する。図３の座標を用いて説明すると、画像判定部１３は、０＜ｘ≦ｘ１の範囲内において
ｙ０＜ｙ≦｛（ｙ０−ｙ１）／ｘ１｝ｘ＋ｙ１
の条件を満足する範囲が略同じ色であるか否かを判定する。同じ色である場合には、画像判定部１３は、ユーザが撮影レンズ３２の左上の隅を覆って表示画面３６上の左上に配置されたアイコンの選択をする操作を行ったものと判定する。なお、ユーザの意思による操作であるか否かを確認するために、画像判定部１３は、ステップＳ２５を用いて、検出領域２８ＬＵにおいて略同一の色が検出され続けることを確認した後、ステップＳ２６において、左上のアイコンが選択されたことを示す操作信号を出力する。
【００４７】
同様に、ユーザが撮影レンズ３２の左下の角を覆った場合には、画像判定部１３は、ステップＳ２７からステップＳ２８に処理を移行して、指等の画像部分の領域が検出領域２８ＬＤ部分と略同一の領域であるか否かを判定する。図３の座標を用いて説明すると、画像判定部１３は、０＜ｘ≦ｘ２の範囲内において
ｙ０＜ｙ≦（−ｙ２／ｘ２）ｘ＋ｙ２
の条件を満足する範囲が略同じ色であるか否かを判定する。同じ色である場合には、画像判定部１３は、ユーザが撮影レンズ３２の左下の隅を覆って表示画面３６上の左下に配置されたアイコンの選択をする操作を行ったものと判定する。画像判定部１３は、ステップＳ２９において所定時間、検出領域２８ＬＤにおいて略同一の色が検出され続けた場合には、ステップＳ３０において、左下のアイコンが選択されたことを示す操作信号を出力する。
【００４８】
画像右上に配置されたアイコンに対して操作が行われたか否かの判定は、ステップＳ３１〜Ｓ３４において同様に行われる。この場合には、画像判定部１３は、ｘ３＜ｘ≦ｘ０の範囲内において
ｙ０＜ｙ≦｛−（ｙ０−ｙ３）／（ｘ０−ｘ３）｝ｘ＋（ｘ０ｙ０−ｘ３ｙ３）／（ｘ０−ｘ３）
の条件を満足する範囲が略同じ色であるか否かを判定する（ステップＳ３２）。画像判定部１３は、ステップＳ３３において所定時間、検出領域２８ＲＵにおいて略同一の色が検出され続けた場合には、ステップＳ３４において、右上のアイコンが選択されたことを示す操作信号を出力する。
【００４９】
同様に、画像右下に配置されたアイコンに対して操作が行われたか否かの判定は、ステップＳ３５〜Ｓ３８において行われる。この場合には、画像判定部１３は、ｘ４＜ｘ≦ｘ０の範囲内において
０＜ｙ≦｛−ｙ４／（ｘ０−ｘ４）｝ｘ＋ｘ４ｙ４／（ｘ０−ｘ４）
の条件を満足する範囲が略同じ色であるか否かを判定する（ステップＳ３６）。画像判定部１３は、ステップＳ３７において所定時間、検出領域２８ＲＤにおいて略同一の色が検出され続けた場合には、ステップＳ３８において、右下のアイコンが選択されたことを示す操作信号を出力する。
【００５０】
図８乃至図１４はモード切換処理を示している。図８はモード切換処理を示すフローチャートである。信号処理及び制御部１１は、図８のステップＳ４２〜Ｓ４４において、撮影レンズ３２の左上に対する操作、左下に対する操作、右上に対する操作又は右下に対する操作のいずれの操作が行われたかを判定する。
【００５１】
撮影レンズ３２の左上に対する操作が行われた場合には、信号処理及び制御部１１は、画像判定部１３からの操作信号によって、マクロ設定操作が行われたものと判定する。信号処理及び制御部１１は、ステップＳ４５において、マクロ設定が既にオンになっているか否かを判定する。マクロ設定がオンになっている場合には、ユーザの操作はマクロ設定をオフにする操作であったものと判定して、処理をステップＳ４８に移行してマクロ設定をオフにする。マクロ設定がオフの場合には、信号処理及び制御部１１は処理をステップＳ４６に移行して、マクロ設定をオンにする。次いで、信号処理及び制御部１１は、マクロ設定を実施する。
【００５２】
図９はマクロ設定を説明するための説明図であり、図１０はマクロ設定を示すフローチャートである。信号処理及び制御部１１は、ステップＳ７１において、ユーザが撮影レンズ３２の角に伸ばした指の撮像画像が撮像範囲２１ｂ中のｘ軸のいずれの位置まで伸びているかを検出する。信号処理及び制御部１１は、ステップＳ７２〜Ｓ７４において、指が伸びたｘ軸上の位置を判定する。ステップＳ７２では、指の画像の先端におけるｘ軸上の位置ｘが０＜ｘ≦ｘ１１の範囲内にあるか否かが判定される。同様に、ステップＳ７３では、ｘ１１＜ｘ≦ｘ１２の範囲内、ステップＳ７４では、ｘ１２＜ｘ≦ｘ０の範囲内にあるか否かが判定される。
【００５３】
信号処理及び制御部１１は、指の先端の位置に応じて、マクロモード、スーパーマクロモード又はＳマクロＬＥＤモードに切換える。なお、マクロモードは、通常の合焦点距離（60cm以上）に対して、合焦距離を短くしたものであり、例えば、 被写体からカメラの距離が20cmからの短い距離で合焦が可能なモードである。また、スーパーマクロモードは、マクロモードの合焦距離よりも合焦距離が短いが、距離に制限がある。例えば、スーパーマクロモードでは、被写体からカメラの距離が3cmからの短い距離で合焦が可能である。また、ＳマクロＬＥＤモードは、スーパーマクロの機能に照明が追加された機能である。
【００５４】
指の画像の先端の位置が０＜ｘ≦ｘ１１の範囲内にある場合には、信号処理及び制御部１１は、ステップＳ７５においてマクロモードに移行し、マクロモードに移行したことを示す設定表示を表示画面３６上に表示させる（ステップＳ７６）。
【００５５】
同様に、信号処理及び制御部１１は、指の画像の先端の位置がｘ１１＜ｘ≦ｘ１２の範囲内にある場合には、ステップＳ７７においてスーパーマクロモードに移行し、スーパーマクロモードに移行したことを示す設定表示を表示画面３６上に表示させる（ステップＳ７８）。
【００５６】
また、信号処理及び制御部１１は、指の画像の先端の位置がｘ１２＜ｘ≦ｘ０の範囲内にある場合には、ステップＳ７９においてＳマクロＬＥＤモードに移行し、ＳマクロＬＥＤモードに移行したことを示す設定表示を表示画面３６上に表示させる（ステップＳ８０）。
【００５７】
信号処理及び制御部１１は、ステップＳ８１において指検出を行い、指の画像が撮像範囲２１ｂ中に含まれているか否かを判定する。指の画像部分が撮像範囲２１ｂ中に含まれている場合、即ち、ユーザが指を撮影レンズ３２から離していない場合には、信号処理及び制御部１１は処理をステップＳ７１に戻して、処理を繰り返す。ユーザが指を離すと、信号処理及び制御部１１は処理を終了する。従って、ユーザが指を撮影レンズ３２から離した時点において設定されたマクロモードが実行されることになる。
【００５８】
なお、図１０の説明では、指画像先端のｘ軸方向の位置のみに基づいてモードを切換える例を説明したが、図９の例に示すように、ｘ，ｙ方向の位置に応じて、モードを切換えるようにしてもよい。
【００５９】
図８において、信号処理及び制御部１１は、撮影レンズ３２の左下に対する操作が行われたと判定した場合には、画像判定部１３からの操作信号によって、ストロボ操作が行われたものと判定する。信号処理及び制御部１１は、ステップＳ５１において、ストロボ設定が既にオンになっているか否かを判定する。ストロボ設定がオンになっている場合には、ユーザの操作はストロボ設定をオフにする操作であったものと判定して、処理をステップＳ５４に移行してストロボ設定をオフにする。ストロボ設定がオフの場合には、信号処理及び制御部１１は処理をステップＳ５２に移行して、ストロボ設定をオンにする。次いで、信号処理及び制御部１１は、ストロボ設定を実施する。
【００６０】
図１１はストロボ設定を説明するための説明図であり、図１２はストロボ設定を示すフローチャートである。図１２において図１０と同一の手順には同一符号を付して説明を省略する。信号処理及び制御部１１は、ステップＳ７１において、ユーザが撮影レンズ３２の角に伸ばした指の撮像画像が撮像範囲２１ｂ中のｘ軸のいずれの位置まで伸びているかを検出する。
【００６１】
信号処理及び制御部１１は、指の画像の先端の位置が０＜ｘ≦ｘ１１の範囲内にある場合には、ステップＳ８５においてＡＵＴＯ発光モードに移行し、ＡＵＴＯ発光モードに移行したことを示す設定表示を表示画面３６上に表示させる（ステップＳ８６）。
【００６２】
また、信号処理及び制御部１１は、指の画像の先端の位置がｘ１１＜ｘ≦ｘ１２の範囲内にある場合には、ステップＳ８７において赤目軽減モードに移行し、赤目軽減モードに移行したことを示す設定表示を表示画面３６上に表示させる（ステップＳ８８）。
【００６３】
また、信号処理及び制御部１１は、指の画像の先端の位置がｘ１２＜ｘ≦ｘ０の範囲内にある場合には、ステップＳ８９において強制発光モードに移行し、強制発光モードに移行したことを示す設定表示を表示画面３６上に表示させる（ステップＳ９０）。
【００６４】
信号処理及び制御部１１は、ステップＳ８１の判定を行うことで、ユーザが指を撮影レンズ３２から離した時点において設定されたストロボモードを実行する。
【００６５】
なお、図１２の説明では、指画像先端のｘ軸方向の位置のみに基づいてモードを切換える例を説明したが、図１１の例に示すように、ｘ，ｙ方向の位置に応じて、モードを切換えるようにしてもよい。
【００６６】
図８において、信号処理及び制御部１１は、撮影レンズ３２の右上に対する操作が行われたと判定した場合には、画像判定部１３からの操作信号によって、動画設定操作が行われたものと判定する。信号処理及び制御部１１は、ステップＳ５５において、動画設定が既にオンになっているか否かを判定する。動画設定がオンになっている場合には、ユーザの操作は動画設定をオフにする操作であったものと判定して、処理をステップＳ５８に移行して動画設定をオフにする。動画設定がオフの場合には、信号処理及び制御部１１は処理をステップＳ５６に移行して、動画設定をオンにする。次いで、信号処理及び制御部１１は、動画設定を実施する。
【００６７】
図１３は動画設定を説明するための説明図であり、図１４は動画設定を示すフローチャートである。図１４において図１０と同一の手順には同一符号を付して説明を省略する。信号処理及び制御部１１は、ステップＳ７１において、ユーザが撮影レンズ３２の角に伸ばした指の撮像画像が撮像範囲２１ｂ中のｘ軸のいずれの位置まで伸びているかを検出する。
【００６８】
信号処理及び制御部１１は、ステップＳ７４において指の画像の先端の位置がｘ１２＜ｘ≦ｘ０の範囲内にあるか否か判定し、ある場合にはステップＳ９５において画像サイズを７２０Ｐとする７２０Ｐモードに移行し、７２０Ｐモードに移行したことを示す設定表示を表示画面３６上に表示させる（ステップＳ９６）。
【００６９】
また、信号処理及び制御部１１は、指の画像の先端の位置がｘ１１＜ｘ≦ｘ１２の範囲内にある場合には、ステップＳ９７において画像サイズをＶＧＡとするＶＧＡモードに移行し、ＶＧＡモードに移行したことを示す設定表示を表示画面３６上に表示させる（ステップＳ９８）。
【００７０】
また、信号処理及び制御部１１は、ステップＳ７２において指の画像の先端の位置が０＜ｘ≦ｘ１１の範囲内にあるか否かを判定し、ある場合には、ステップＳ９９において画像サイズをＱＶＧＡとするＱＶＧＡモードに移行し、ＱＶＧＡモードに移行したことを示す設定表示を表示画面３６上に表示させる（ステップＳ１００）。
【００７１】
信号処理及び制御部１１は、ステップＳ８１の判定を行うことで、ユーザが指を撮影レンズ３２から離した時点において設定された動画サイズのモードを実行する。
【００７２】
なお、図１４の説明では、指画像先端のｘ軸方向の位置のみに基づいてモードを切換える例を説明したが、図１３の例に示すように、ｘ，ｙ方向の位置に応じて、モードを切換えるようにしてもよい。
【００７３】
図８において、信号処理及び制御部１１は、撮影レンズ３２の右下に対する操作が行われたと判定した場合には、画像判定部１３からの操作信号によって、アイコン表示のオンオフ操作が行われたものと判定する。信号処理及び制御部１１は、ステップＳ５９において、アイコン表示が既にオンになっているか否かを判定する。アイコン表示がオンになっている場合には、ユーザの操作はアイコン表示をオフにする操作であったものと判定して、処理をステップＳ６１に移行してアイコン表示をオフにする。アイコン表示がオフの場合には、信号処理及び制御部１１は処理をステップＳ６０に移行して、アイコン表示をオンにする。
【００７４】
このように本実施の形態においては、撮影レンズの一部を指で覆うという簡単な操作によって、操作を行うことが可能である。この場合には、陸上で用いるタッチパネルと同様に、画面上のアイコン表示に対応した位置に指を合わせることで、簡単に操作を指示することができ、陸上での操作と同様に直感的で且つ迅速な操作が可能である。これにより、陸上及び水中使用の両方で最適な操作性を得ることができる。
【００７５】
なお、上記実施の形態においては、指の画像を撮像範囲の４隅の位置において検出する例について説明したが、撮像範囲の任意の位置において検出することができる。例えば、図１５の斜線領域に指の画像が略重なったときに、重なった斜線領域の位置に応じた操作信号が発生するように構成することも可能である。
【００７６】
また、上記実施の形態においては、撮影レンズを覆う指の画像を検出する例について説明したが、指以外の物体を検出するようにしてもよい。
【符号の説明】
【００７７】
１…撮影機器、１０…本体回路部、１２…画像処理部、１３…画像判定部、１４…制御切換部、１５…表示制御部、２４…表示部、２５…タッチパネル、２６…水中検出部、３２…撮影レンズ、３５…水圧センサ。
【図１】
0005750693.tif 000002
【図２】
0005750693.tif 000003
【図３】
0005750693.tif 000004
【図４】
0005750693.tif 000005
【図５】
0005750693.tif 000006
【図６】
0005750693.tif 000007
【図７】
0005750693.tif 000008
【図８】
0005750693.tif 000009
【図９】
0005750693.tif 000010
【図１０】
0005750693.tif 000011
【図１１】
0005750693.tif 000012
【図１２】
0005750693.tif 000013
【図１３】
0005750693.tif 000014
【図１４】
0005750693.tif 000015
【図１５】
0005750693.tif 000016